【事件の表示】
　特許第３２９１５３０号「バッテリー保護回路」の請求項１ないし８に係る特許に対する特許異議の申立てについて、次のとおり決定する。
【結　論】
　訂正を認める。
　特許第３２９１５３０号の請求項１ないし６に係る特許を維持する。
【理　由】
１．手続きの経緯
　特許第３２９１５３０号の請求項１ないし８に係る発明についての出願の経緯は以下のとおりである。
平成　４年　９月１７日　：特許出願
平成１４年　３月２９日　：特許権の設定登録
平成１４年１２月１０日　：異議申立（申立人黒澤裕子）
平成１５年　３月　７日付：取消理由通知（１）
平成１５年　５月２３日　：訂正請求書（平成１６年　３月２６日取下げ）
平成１６年　１月１６日付：取消理由通知（２）
平成１６年　３月２６日　：訂正請求書（平成１６年１２月２７日取下げ）
平成１６年１１月　１日付：取消理由通知（３）
平成１６年１２月２７日　：訂正請求書
　
２．訂正の適否
２．１　訂正の内容
ａ．請求項１の「・・・とを備えたバッテリー保護回路において、
　上記過放電状態から、再び充電開始の状態を上記二次電池の端子間に充電電圧が発生したことにより検出し、検出された充電状態を保持する状態保持手段を備えたことを特徴とするバッテリー保護回路。」を
「【請求項１】　二次電池と、該電池の電圧を検出すると共に、該検出電圧と基準電圧とを比較して上記二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段と、上記状態検知手段に供給する電源及び基準電圧源を遮断するためのパワーダウンスイッチ手段と、上記状態検知手段により過放電状態が検知された場合に上記パワーダウンスイッチ手段を非導通状態にするパワーダウン手段と、過放電状態から再び充電が開始された場合に上記パワーダウンスイッチ手段を非導通状態から導通状態に復帰させるパワーダウン解除手段と、
　
上記過放電状態から、再び充電開始の状態を上記二次電池の端子間に充電電圧が発生したことにより検出し、検出された充電状態を保持する状態保持手段を備えたバッテリー保護回路において、上記状態保持手段は、上記二次電池の電圧が過放電領域を脱出するまで、上記充電状態を保持するとともに、上記パワーダウン解除手段は、上記状態検知手段における基準電圧用パワーダウンスイッチ手段を先に導通状態にし、基準電圧の発生を検知してから他のパワーダウンスイッチ手段を導通状態にすることを特徴とするバッテリー保護回路。
　【課題を解決するための手段】
　前記課題を解決する具体的手段として本発明は、・・・を備えたことを特徴とするバッテリー保護回路を提供するものである。」を、  「　【０００９】
　【課題を解決するための手段】
　前記課題を解決する具体的手段として本発明は、二次電池と、該電池の電圧を検出すると共に、該検出電圧と基準電圧とを比較して上記二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段と、上記状態検知手段に供給する電源及び基準電圧源を遮断するためのパワーダウンスイッチ手段と、上記状態検知手段により過放電状態が検知された場合に上記パワーダウンスイッチ手段を非導通状態にするパワーダウン手段と、過放電状態から再び充電が開始された場合に上記パワーダウンスイッチ手段を非導通状態から導通状態に復帰させるパワーダウン解除手段と
上記過放電状態から、再び充電開始の状態を上記二次電池の端子間に充電電圧が発生したことにより検出し、検出された充電状態を保持する状態保持手段を備えたバッテリー保護回路において、上記状態保持手段は、上記二次電池の電圧が過放電領域を脱出するまで、上記充電状態を保持するとともに、上記パワーダウン解除手段は、上記状態検知手段における基準電圧用パワーダウンスイッチ手段を先に導通状態にし、基準電圧の発生を検知してから他のパワーダウンスイッチ手段を導通状態にすることを特徴とするバッテリー保護回路
　
ｂ．特許請求の範囲の請求項２を削除する。
　
ｃ．特許請求の範囲の請求項３「【請求項３】　上記二次電池が・・・特徴とする請求項２に記載のバッテリー保護回路。」を
「
【請求項２】
請求項１
　
ｄ．特許請求の範囲の請求項４を削除
　
ｅ．特許請求の範囲の請求項５「【請求項５】　上記パワーダウンスイッチ手段が、・・・備えたことを特徴とする請求項１又は請求項３に記載のバッテリー保護回路。」を
「
【請求項３】
請求項１
　
ｆ．特許請求の範囲の請求項６「【請求項６】　いずれかの上記二次電池が・・・パワーダウン禁止手段を備えたことを特徴とする請求項３に記載のバッテリー保護回路。」を
  「
【請求項４】
請求項２
　
ｇ．特許請求の範囲の請求項７「【請求項７】　瞬間的に大電流が流れた場合には、該大電流を検出する過電流検出手段を設け、該過電流検出手段の検出信号に基づいて上記パワーダウンスイッチ手段が非導通状態にならないように、パワーダウン禁止手段を備えたことを特徴とする請求項１、３又は６に記載のバッテリー保護回路。」を
「
【請求項５】
請求項１、２又は４
　
ｈ．特許請求の範囲の請求項８「【請求項８】　複数の上記二次電池の電池バランスを取る手段を備えたことを特徴とする請求項３に記載のバッテリー保護回路。」を
「
【請求項６】上記複数の二次電池
請求項２
　これに伴い、特許請求の範囲の記載と発明の詳細な説明の記載との整合をとるため、特許明細書第３ページ第１５行乃至第５ページ第１行目（段落番号００１０）の  「【００１０】
　そして、上記状態保持手段は、上記二次電池の電圧が過放電領域を脱出するまで、上記充電状態を保持すること；上記二次電池が複数直列につながれたバッテリー保護回路にあっては、上記パワーダウン手段は上記状態検知手段により少なくとも１つの上記二次電池の過放電状態が検知された場合に上記パワーダウンスイッチ手段を非導通状態にすること；上記パワーダウン解除手段は、上記状態検知手段における基準電圧用パワーダウンスイッチ手段を先に導通状態にし、基準電圧の発生を検知してから他のパワーダウンスイッチ手段を導通状態にすること；上記パワーダウンスイッチ手段が、非導通時であって、上記二次電池の電圧が略０Ｖの場合は、強制的に上記二次電池充電可能状態にする強制手段を備えたこと；いずれかの上記二次電池が過充電状態の場合は、上記パワーダウンスイッチ手段が非導通状態にならないようにするパワーダウン禁止手段を備えたこと；瞬間的に大電流が流れた場合には、該大電流を検出する過電流検出手段を設け、該過電流検出手段の検出信号に基づいて上記パワーダウンスイッチ手段が非導通状態にならないように、パワーダウン禁止手段を備えたこと；複数の上記二次電池の過充放電用の電池バランスを取る手段を備えたことを特徴とするバッテリー保護回路を提供するものである。」を、
「 【００１０】
　そして、
上記二次電池が複数直列につながれたバッテリー保護回路にあっては、上記パワーダウン手段は上記状態検知手段により少なくとも１つの上記二次電池の過放電状態が検知された場合に上記パワーダウンスイッチ手段を非導通状態にすること；上記パワーダウンスイッチ手段が、非導通時であって、上記二次電池の電圧が略０Ｖの場合は、強制的に上記二次電池充電可能状態にする強制手段を備えたこと；いずれかの上記二次電池が過充電状態の場合は、上記パワーダウンスイッチ手段が非導通状態にならないようにするパワーダウン禁止手段を備えたこと；瞬間的に大電流が流れた場合には、該大電流を検出する過電流検出手段を設け、該過電流検出手段の検出信号に基づいて上記パワーダウンスイッチ手段が非導通状態にならないように、パワーダウン禁止手段を備えたこと；上記複数の二次電池の電池バランスを取る手段を備えたことを特徴とするバッテリー保護回路を提供するものである。
　
ｉ．明細書中の段落番号００３６
「【００３６】
　そして、電池Ｂｂａｔのマイナス側は放電用パワーＮＭＯＳトランジスターＱＤと、充電用パワーＮＭＯＳトランジスターＱＣを介して、・・・」を明瞭でない記載の釈明を目的として、
「  【００３６】
　そして、電池Ｂｂａｔのマイナス側
は放電用パワーＮＭＯＳトランジスターＱＤからなる第一のスイッチ手段と、充電用パワーＮＭＯＳトランジスターＱＣからなる第二のスイッチ手段
ｊ．明細書の段落００３９「　【００３９】
　パワーＮチャネルＭＯＳトランジスターＱＤ（以下、パワーＮＭＯＳトランジスターＱＤと云う）は、・・・」を明瞭でない記載の釈明を目的として、
   「　【００３９】
　
パワーＮチャネルＭＯＳトランジスターＱＤ（以下、パワーＮＭＯＳトランジスターＱＤと云う）の第一のスイッチ手段は、
　
ｋ．明細書中の段落番号００４０「【００４０】
　パワーＮチャネルＭＯＳトランジスターＱＣ（以下、パワーＮＭＯＳトランジスターＱＣと云う）は、・・・」を明瞭でない記載の釈明を目的として、  「【００４０】
　
パワーＮチャネルＭＯＳトランジスターＱＣ（以下、パワーＮＭＯＳトランジスターＱＣと云う）の第二のスイッチ手段は
　
ｌ．明細書の段落番号００５３「【００５３】
　ナンドゲートＧ５は、・・・ソース端子にに接続され、この出力端子からはパワーダウン信号ＰＤＢを発生させる。」を誤記の訂正を目的として「【００５３】
　ナンドゲートＧ５は、・・・
ソース端子に接続され
　
m．明細書の段落番号００９３「【００９３】
（６）パワーダウンモード時からの充電。
　・・・パワーダウンモード時は、前記したようにパワーＮＭＯＳトランジスターＱＤとパワーＮＭＯＳトランジスターＱＣとが共にオフの状態となっている。」を明瞭でない記載の釈明を目的として「  【００９３】
（６）パワーダウンモード時からの充電。
　・・・パワーダウンモード時は、前記したようにパワーＮＭＯＳトランジスターＱＤからなる
第一のスイッチ手段とパワーＮＭＯＳトランジスターＱＣからなる第二のスイッチ手段
　
ｎ．明細書の段落番号００９５「【００９５】
　・・・パワーＮＭＯＳトランジスターＱＣをオンにして充電が開始し充電電流を流すことができる。」を明瞭でない記載の釈明を目的として、
 「【００９５】
　パワーＮＭＯＳトランジスターＱＣ
からなる第二のスイッチ手段
　
ｏ．明細書の段落番号００９７「【００９７】
　ここで、パワーＮＭＯＳトランジスターＱＣがオンするとマイナス側端子（Ｅｂ−）の電圧は上昇しＧＮＤよりも少し低い電圧となる。・・・」を明瞭でない記載の釈明を目的として、
    「【００９７】
　ここで、パワーＮＭＯＳトランジスターＱＣ
からなる第二のスイッチ手段
　
ｐ．明細書の段落番号００９９「 【００９９】
　又、充電ロジックのＧＮＤレベルは端子ＶＭの電位となっているので、パワんＭＯＳトランジスターＱＤ、ＱＣで生じる充電による電圧降下分の電圧が充電ロジックの動作用の電圧源となる。」を誤記の訂正を目的として、   「 【００９９】
　又、充電ロジックのＧＮＤレベルは端子ＶＭの電位となっているので、
パワーＮＭＯＳトランジスターＱＤ、ＱＣ
　
ｑ．明細書の段落番号０１０１「 【０１０１】
　電池Ａｂａｔ、Ｂｂａｔの電圧が両方とも過放電電圧以上になるとコンパレーターＣＯＭＰ１、ＣＯＭＰ２の出力端子の信号が両方ともＬレベル信号となり、・・・」を誤記の訂正を目的として、   「 【０１０１】
　電池Ａｂａｔ、Ｂｂａｔの電圧が両方とも過放電電圧以上になるとコンパレーターＣＯＭＰ１、
ＣＯＭＰ３
　
２．２　訂正の目的の適否、新規事項の有無、及び特許請求の範囲の拡張・変更の存否
（１）訂正事項ａについて
  訂正事項ａは、特許明細書の特許請求の範囲の請求項１に記載の構成に請求項２及び請求項４の構成を付加したものであるから、特許請求の範囲の減縮に該当し、かつ新規事項ではなく、また特許請求の範囲を拡張・変更するものでもない。
　この訂正に対応した段落０００９の訂正は、課題を解決するための手段を特許請求の範囲と整合させるためのものであるから、明瞭でない記載の釈明を目的とした訂正に該当する。そして、該訂正は特許請求の範囲に記載されていたものであるから新規事項ではなく、かつ特許請求の範囲の請求項１を拡張・変更するものでもない。
　
（２）訂正事項ｂ，ｄについて
　特許請求の範囲の請求項２，４項を削除する訂正は、特許請求の範囲の減縮に該当する。又、これらの訂正によって特許請求の範囲が拡張・変更されることもない。
　
（３）訂正事項ｃについて   
   この訂正は、請求項２の削除に伴い請求項３を請求項２に繰り上げかつ、請求項２に従属していたものを上記減縮された請求項１に従属させるもので、特許請求の範囲の減縮及び明瞭でない記載の釈明を目的としたものに該当し、新規事項でなく、かつこの訂正により特許請求の範囲を拡張・変更するものでもない。
　
（４） 訂正事項ｅについて
   この訂正は、請求項２，４の削除に伴い特許時の請求項５を請求項３に繰り上げかつ、上記減縮された請求項１に従属させるもので、特許請求の範囲の減縮及び明瞭でない記載の釈明を目的としたものに該当し、新規事項でなく、かつこの訂正により特許請求の範囲を拡張・変更するものでもない。
　
（５）訂正事項ｆ，ｇ，ｈについて
　これらの訂正は、請求項２，４の構成を請求項１に付加して減縮するとともに請求項２，４を削除したため、請求項６，７，８を順次繰り上げて、請求項４，５，６としたものであり、明瞭でない記載の釈明及び特許請求の範囲の減縮を目的としたものに該当する。そして、これらの訂正は新規事項でなく、かつ特許請求の範囲を拡張・変更するものでもない。
　又、段落００１０の訂正も、上記訂正事項ｆ，ｇ，ｈに対応して発明の詳細な説明を整合するためのものであるから、明瞭でない記載の釈明を目的とするものと認められる。
　
（６）訂正事項ｉ，ｊ，ｋ，ｍ，ｎ，ｏについて
　これらの訂正は、特許請求の範囲に記載の「第一，第二のスイッチ手段」について、発明の詳細な説明の欄との対応関係を明らかにしたものであり、明瞭でない記載の釈明に該当する。　そして、これらの訂正は新規事項でなく、かつ特許請求の範囲を拡張・変更するものでもない。    
（７）訂正事項ｌ，ｐ，ｑについて   
　これらの訂正は、誤記の訂正を目的とするものと認められる。そして、これらの訂正は新規事項でなく、かつ特許請求の範囲を拡張・変更するものでもない。
　
２．３　むすび　
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議申し立てについて
３．１　特許異議申し立ての概要
　申立人黒澤裕子は、「本件特許発明（請求項１乃至８）は、甲第１号証乃至甲第３号証に記載された公知技術に基づき当業者においては容易に発明され得たものであることが明白であり、本件特許には特許されるべき格別な発明は何ら存在しないこともあきらかである。
　よって、本件特許発明は特許法第２９条第２項の規定により特許を受けることができないものである。」と主張している。　
　甲第１号証：特開平４−　７５４３０号公報
　甲第２号証：特開平４−　　４７３２号公報
　甲第３号証：特開平１−２４３８２０号公報
　　なお、甲第３号証には、電池及び第２の直流電源の双方を電源として使用する電子機器のための電池の過放電防止装置について記載されている。
　具体的には、「電池及び第２の直流電源と負荷の間に接続されるように構成され、負荷への給電及び給電停止のためのオン状態またはオフ状態とされるスイッチ手段と、基準電圧設定手段と、電池電圧検出手段と、第２の直流電源の出力電圧を検出する出力電圧検出手段を備え、電池の電圧が規定の電圧以下となったとき前記スイッチ手段をオフ状態とし、第２の直流電源が接続されて出力電圧が基準電圧よりも高くなるまで、前記停止状態を保持する過放電防止装置。」の発明が記載されているものと認められる（２頁の課題を解決するための手段及び作用の欄、図１参照）。
　
３．２　引用刊行物
　取消理由通知で引用した刊行物（引用例等）は以下のとおりである。
（１）　引用例１：特開平４−　７５４３０号公報（甲第１号証）
　  引用例１には、以下の記載がある。
　ａ．「充電式の電源装置において、機器に装着した状態で放置した場合に、当該充電式の電源装置内の二次電池の過放電を防止し、かつ、充電装置が故障したり、専用充電装置以外の充電装置で充電されたりした場合にも、当該充電式の電源装置の内の二次電池を過充電から保護し、二次電池の性能の劣化を防止する」（２頁右下欄８行〜１４行）
　ｂ．「内部に寄生ダイオードを有する第１および第２のスイッチ素子が直列継続されたスイッチ手段と、前記電池の両端電圧を検出して前記スイッチ手段を制御する制御手段とを備え、前記第１のスイッチ素子はその寄生ダイオードの順方向が前記電池の放電方向になるように、前記第２のスイッチ素子はその寄生ダイオードの順方向が前記電池の充電方向となるように前記電池に接続され、前記制御手段は、前記電池の電圧が充電可能電圧の近傍の第１の電圧より下がったとき前記第１のスイッチ素子を導通させ、前記電池の電圧が前記充電可能電圧の近傍であって前記第１の電圧より高い第２の電圧より上がったとき前記第１のスイッチ素子を非導通状態にし、前記電池の電圧が放電可能電圧の近傍の第３の電圧より上がったとき前記第２のスイッチ素子を導通させ、前記電池の電圧が前記放電可能電圧の近傍であって前記第３の電圧よりも低い第４の電圧より下がったとき前記第２のスイッチ素子を非導通状態にする」（２頁右下欄２０行〜３頁左上欄１９行）
　ｃ．「本発明でいうスイッチ手段を構成するスイッチ素子としては、電力損失が小さく、かつ、通常の使用状態での消費電力を小さくするために電圧駆動型のスイッチであることが好ましい。この条件を満足するデバイスとして、電界効果型のトランジスター（ＦＥＴ）が好ましい条件を備えているが、その中でもデバイスの内部に寄生ダイオードを有するＭＯＳ　ＦＥＴを使用すると回路を著しく簡略化、および、小型化することができる。
　すなわち、スイッチ素子を２個直列接続して電池に接続し、この２個のスイッチ素子を各々、過放電防止用の放電回路の遮断スイッチ（ＳＷｏｄ）、および、過充電防止用の充電回路の遮断スイッチ（ＳＷｏｃ）として独立に使用する。」（３頁左下欄６行〜１９行）
　ｄ．「電池３は単電池もしくは、直列または並列に接続された組電池からなる。」（４頁左上欄５行〜６行）
　ｅ．「制御手段５は、コンパレータと基準電圧回路等から構成することが可能であり、第２図に示す回路図のように電源入力と信号入力を兼ねる反転入力端（Ｖ−）を電池３の負極端子に、非反転入力端（Ｖ＋）を電池の正極端子に接続する。制御手段５は、過放電防止用の放電回路の遮断スイッチ（ＳＷｏｄへの出力（ＶＯＤＯＵＴ）をMOS FET41のゲートに供給し、過充電防止用の充電回路の遮断スイッチ（ＳＷｏｃ）への出力（Ｖｏｃｏｕｔ）をMOS FET42のゲートに供給する。」（４頁左上欄７行〜１６行）　この記載から過放電及び過充電状態の検知を電池電圧と基準電圧とを比較して得ていることが認められる。
　ｆ．「以上の構成によれば、電池３の両端電圧がある一定電圧（第３図におけるＶodｏｆｆ）以下になると、過放電防止用の放電回路の遮断スイッチ（ＳＷＯＤ）への制御手段５の出力電圧（ＶＯＤＯＵＴ）がＶＧＳ(OFF)以上からＶＧＳ（ＯＦＦ）以下になり、MOS FET４１が導通状態から遮断状態になって電池３の放電回路を遮断する。」（４頁左下欄６行〜１２行）
　ｇ ．第３図（ｃ）によれば、電池両端の電圧が下がってくると過充電防止用の遮断スイッチ（ＳＷＯＣ）への制御手段５の出力電圧ＶＯＣＯＵＴも低下し、ＶＧＳ（ｏｆｆ）以下になると遮断スイッチＳＷＯＣも遮断状態になるものと認められる。
　ｈ．「そして、MOS FET41の寄生ダイオード41Aを介した充電によって電池３の両端電圧が前記ＶＯＤｏｆｆよりも高い電圧（第３図におけるＶＯＤｏｎ）以上になると、過放電防止用の放電回路の遮断スイッチ（ＳＷＯＤ）への制御手段５の出力電圧がオフ状態からオン状態になり、MOS FET41が遮断状態から導通状態になり、通常の（低損失の）充電が行われる。」（４頁左下欄１３行〜２０行）　この記載から、（イ）過放電状態において再充電のために電圧を印加する点、（ロ）過放電状態での再充電は通常の充電とは異なり、オフ状態にされている過放電防止用遮断スイッチの寄生ダイオードを介して行われ、電池電圧が回復（上昇）して該過放電状態を脱出すると、過放電防止用遮断スイッチを導通状態にして前記通常の充電状態にする点、が認められる。
　以上の点を考慮すると、引用例１には、
「二次電池と、
　該電池の電圧を検出すると共に、該検出電圧と基準電圧とを比較して上記二次電池の過放電状態又は過充電状態を検知する制御手段（状態検知手段）と、
　放電電流又は充電電流を遮断するための第一及び第二のスイッチ手段と、
　上記制御手段の検知結果に基づいて上記第一及び第二のスイッチ手段の導通及び非導通を制御する前記制御手段とを備えたバッテリー保護回路において、
　上記過放電状態から再び充電開始の状態を上記二次電池の端子間に充電電圧が発生したことにより検出し、検出された充電状態を保持する状態保持手段を備え、さらに、該状態保持手段は、上記二次電池の電圧が過放電状態を脱するまで保持することを特徴とするバッテリー保護回路。」の発明（以下「引用発明１」という。）が記載されているものと認められる。
　
（２）  引用例２：特開平４−４７３２号公報（甲第２号証）
   引用例２には、以下の記載がある。
　ａ．「バッテリの充電制御回路は、バッテリの電圧検出器と、直流電源ＯＮ時はバッテリに充電を行いながら負荷及び上記電圧検出器にも電圧を供給する第１の電圧供給手段と、直流電源ＯＦＦ時にはバッテリから負荷及び電圧検出器へ電圧を供給する第２の電圧供給手段と、直流電源ＯＦＦ時にバッテリの電圧低下が検出されたときバッテリの放電を停止させる制御手段を設けた」（２頁左上欄１７行〜右上欄４行）
　
　ｂ．「直流電源OFF時に、バッテリの起電力を監視し、バッテリの放電によってバッテリの起電力が低下したことを検出して放電を停止させ、この状態を次に直流電源がＯＮされるまで保持させる。」（２頁右上欄８行〜１１行）
　ｃ．「　この状態で電圧検出器９がバッテリ５の起電力の低下を検知した場合は、電圧検出器９の上記出力手段のトランジスタがＯＦＦになり、従ってトランジスタ７もＯＦＦになるので、負荷６及び電圧検出器９の電源端子Ｖｃｃへの電圧供給は停止する。電圧検出器９の電源端子Ｖｃｃへの電圧供給が停止すると、電圧検出器９の動作が停止して、電圧検出器９の上記出力段のトランジスタはＯＦＦ状態を維持する。
　この電圧検出器９の出力段トランジスタのＯＦＦ状態は、再度、直流電源１をＯＮすることにより、バッテリ５が充電されて、その起電力が上昇することにより解除される。」（２頁右下欄９行〜２０行）
　ｄ．「なお、上記実施例では、電源電流の制御にダイオード２を使用したが、ダイオード２の代わりにトランジスタを使用し、直流電源１の電圧を監視して、直流電源１とバッテリ５の切替えをおこなってもよく」（３頁左上欄５行〜９行）　この記載によれば、直流電源１の電圧を監視手段により監視し、電圧が正常に有るときは、ダイオード２に代わるトランジスタをオンにして、直流電源１から抵抗３を介してバッテリ３に充電電流を流し、前記直流電源１の電圧がないときは、これを検出して前記トランジスタをオフにし、前記抵抗３と並列に接続されたダイオード４とトランジスタ７を介して前記バッテリ３から負荷及び電圧検出器へ電圧を供給することは明かである。
  　
  以上の記載及び図面の記載によれば、引用例２には
　「バッテリの充電制御回路において、バッテリから負荷及び該バッテリの電圧検出器への電圧の供給を開閉するスイッチ（トランジスタ７）を備え、バッテリが電圧低下により過放電状態になった時に電圧検出器が出力し、該出力に応じて前記スイッチが該バッテリから負荷及び前記電圧検出器への電圧の供給を停止する点、及び
　過放電状態から充電を行う際、充電端子への充電用電圧を検知してバッテリに該充電用電圧を印加する（ダイオード２に代るトランジスタを介して）とともに、前記スイッチを介して電圧検出器及び負荷に電圧を供給する点。」の発明（以下「引用発明２」という。）が記載されているものと認められる。
（３）　引用例３：実願平１−４３８４８号（実開平２−１３６４４５号）のマイクロフィルム
　引用例３には、以下の記載がある。
　ａ．「複数の充電式電池のそれぞれの過充電、過放電を確実に回避できる保護回路を実現することにある。」（３頁４行〜６行）
　ｂ．「  充電式電池を複数個備え、負荷側へ電力を供給する電力供給回路と、前記充電式電池を充電するための充電電力供給回路と、前記充電式電池の各々の電池電圧を検出する電圧検出手段と、検出された電池電圧のうちの少なくとも１つの値が、予め定めた充電停止電圧を超えたことを判別する第１の判別手段と、この値が予め定めた放電停止電圧を下まわつたことを判別する第２の判別手段と、前記第１の判別手段の判別出力によつて前記充電電力供給回路による充電を停止させる第１の停止手段と、前記第２の判別手段の判別出力によつて前記電力供給回路を介しての放電を停止させる第２の停止手段とを備えたことを特徴とする充電式電池の保護回路。」（実用新案登録請求の範囲）
　以上の記載及び図面の記載によれば、引用例３には、「複数直列に接続された充電式電池の内、少なくとも１つの電池の電圧が充電停止電圧を超えた場合又は、少なくとも１つの電池の電圧が放電停止電圧を下回った場合は、全部の電池の充電又は放電を停止する充電式電池の保護回路。」の発明（以下「引用発明３」という。）が記載されているものと認められる。
　
（４）周知例１：特開平３−５６０４０号公報
　周知例１には、「電源装置において、各バッテリの残存容量を均等化させて、各バッテリ間で電圧や寿命にアンバランスが生じないようにすること」（２頁右下欄４行〜７行）が記載されている。
　
（５）周知例２：特開平４−１２５０３３号公報（平成４年４月２４日公開、「本発明は・・各バッテリ間で、充電量や放電量のバランスがとれた２電圧バッテリを提供する。」（２頁右上欄１５行〜１８行）
　
３．３　本件発明
　上記２．で示したように上記訂正が認められるから、本件発明（１乃至６）は、上記２．２ａ，ｃ，ｅ，ｆ，ｇ，ｈに記載した請求項１乃至６に記載された事項から特定されるとおりのものである。
　
３．４　対比・判断
（１）請求項１に係る発明について
　本件発明１と引用発明１を対比すると、両者は
  「二次電池と、該電池の電圧を検出すると共に、該検出電圧と基準電圧とを比較して上記二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段と、
　上記過放電状態から、再び充電開始の状態を上記二次電池の端子間に充電電圧が発生したことにより検出し、検出された充電状態を保持する状態保持手段を備えたバッテリー保護回路において、上記状態保持手段は、上記二次電池の電圧が過放電領域を脱出するまで、上記充電状態を保持することを特徴とするバッテリー保護回路。」で一致し、本件発明１が「状態検知手段に供給する電源及び基準電圧源を遮断するためのパワーダウンスイッチ手段と、上記状態検知手段により過放電状態が検知された場合に上記パワーダウンスイッチ手段を非導通状態にするパワーダウン手段と、過放電状態から再び充電が開始された場合に上記パワーダウンスイッチ手段を非導通状態から導通状態に復帰させるパワーダウン解除手段」を備え（相違点１）、かつ該パワーダウン解除手段は「上記状態検知手段における基準電圧用パワーダウンスイッチ手段を先に導通状態にし、基準電圧の発生を検知してから他のパワーダウンスイッチ手段を導通状態にすること」（相違点２）との構成を備えているのに対し、引用発明１がこのような手段を備えていない点で相違する。
　上記相違点について検討する。
　　本件発明１及び引用発明１と同じ技術分野であるバッテリを用いた電源である引用発明２には「バッテリの充電制御回路において、バッテリから負荷及び該バッテリの電圧検出器への電圧の供給を開閉するスイッチ（トランジスタ７）を備え、バッテリが電圧低下により過放電状態になった時に電圧検出器が出力し、該出力に応じて前記スイッチが該バッテリから負荷及び前記電圧検出器への電圧の供給を停止する点、及び
　過放電状態から充電を行う際、充電端子への充電用電圧を検知してバッテリに該充電用電圧を印加する（ダイオード２に代るトランジスタを介して）とともに、前記スイッチを介して電圧検出器及び負荷に電圧を供給する点。」が記載されている。
   ここで、「電圧検出器」は過放電状態を検出するためのものであるから、本件発明２の「状態検出器」に相当する。そして、電圧検出器では所定の電圧（過放電状態）になったか否かを検出するために比較回路や基準電圧回路を備えることは当然のことあり、引用例２において、電圧検出器に電圧を供給することは、これらの回路に電圧を供給することを意味することは当然のことにすぎない。
　また、引用発明２における「スイッチ」は、過放電状態が検知されたときに電圧検出器への電圧供給を停止するスイッチであるから本件発明２の「パワーダウンスイッチ」に相当する。
　引用発明２における　「バッテリが電圧低下により過放電状態になった時に電圧検出器が出力し、該出力に応じて前記スイッチが該バッテリから負荷及び前記電圧検出器への電圧の供給を停止する点」は、本件発明２の「パワーダウン手段」に相当し、引用発明２の「過放電状態から充電を行う際、充電端子への充電用電圧を検知してバッテリに該充電用電圧を印加する（ダイオード２に代るトランジスタを介して）とともに、前記スイッチを介して電圧検出器及び負荷に電圧を供給する点。」は、本件発明２の「パワーダウン解除手段」に相当する。
　そうすると、引用発明２には、上記相違点１に係る構成が記載されていることが明かである。
　しかも、引用発明１も引用発明２も共にバッテリの過放電時における更なる放電を防止することを目的としているものであるから、引用発明１に引用発明２を適用して、引用発明１において、制御手段（本件発明１における「状態検知手段」、及び「制御手段」に相当する。）の電源の供給を制御するスイッチを設け、且つ、過放電時にそのスイッチを開く手段（本件発明２の「パワーダウン手段」に相当）と、再充電時に再び閉じる手段（本件発明２の「パワーダウン解除手段」に相当）を設けることは、当業者が容易に考えられるものと認められる。
　しかしながら、相違点２に係るパワーダウン解除手段の「上記状態検知手段における基準電圧用パワーダウンスイッチ手段を先に導通状態にし、基準電圧の発生を検知してから他のパワーダウンスイッチ手段を導通状態にすること」との構成については、引用発明２は備えておらず、さらに上記引用発明３、周知例１，２及び甲第３号証にも記載されておらず、かつ、これらの記載からみて自明のこととも認められない。
　したがって、本件発明１は、引用発明１（甲第１号証に記載の発明），引用発明２（甲第２号証に記載の発明）及び周知例１，２に記載の技術、さらに甲第３号証に記載の発明に基づいて容易に発明をすることができたものとすることができない。
　そして、本件発明１は上記構成を備えることにより、特許明細書の「　【０１１４】
（３）パワーダウンモードからの解除は、基準電圧を発生させた後、パワーダウンスイッチ手段を導通状態にすることによって、パワーダウンモードからの復帰を確実に行うことができる。」との記載のとおりの、上記引用例等によっては期待できない効果が得られるものと認められる。
　なお、異議申立人は、甲第２号証（引用発明２）には、本件発明１の上記相違点２に相当する構成がある旨主張するが、甲第２号証には、他のパワーダウンスイッチ手段とは別に「基準電圧用パワーダウンスイッチ手段」を備える旨の記載がないから、その主張は採用できない。
　
（２）請求項２ないし６に係る発明について
　請求項２ないし６に係る発明は、いずれも上記請求項１に係る発明にさらに構成要件を付加して限定したものであるから、上記した様に構成要件の少ない請求項１に係る発明が、上記引用例、周知例等に基づいて容易に発明をすることができたものとすることができない以上、請求項２乃至６に係る発明も、同様である。
　
４．むすび
　以上のとおりであるから、特許異議の申し立ての理由によっては本件発明１乃至６の特許を取り消すことはできない。
　又、他に本件発明１乃至６についての特許を取り消すべき理由を発見しない。
　したがって、本件発明１乃至６についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。   
【異議決定日】
平成１７年１月１４日（２００５．１．１４）
【訂正の要旨】
審決（決定）の【理由】欄参照。
（５４）【発明の名称】
バッテリー保護回路
（５７）【特許請求の範囲】
　【請求項１】　二次電池と、該二次電池の電圧を検出すると共に、該検出電圧と基準電圧とを比較して上記二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段と、上記状態検知手段に供給する電源及び基準電圧源を遮断するためのパワーダウンスイッチ手段と、上記状態検知手段により過放電状態が検知された場合に上記パワーダウンスイッチ手段を非導通状態にするパワーダウン手段と、過放電状態から再び充電が開始された場合に上記パワーダウンスイッチ手段を非導通状態から導通状態に復帰させるパワーダウン解除手段と
、上記過放電状態から、再び充電開始の状態を上記二次電池の端子間に光電電圧が発生したことにより検出し、検出された充電状態を保持する状態保持手段とを備えたバッテリー保護回路において、
　上記状態保持手段は、上記二次電池の電圧が過放電領域を脱出するまで、上記充電状態を保持するとともに、上記パワーダウン解除手段は、上記状態検知手段における基準電圧用パワーダウンスイッチ手段を先に導通状態にし、基準電圧の発生を検知してから他のパワーダウンスイッチ手段を導通状態にすること
　【請求項２】
　上記二次電池が複数直列につながれたバッテリー保護回路にあっては、上記パワーダウン手段は上記状態知手段により少なくとも１つの上記二次電池の過放電状態が検知された場合に上記パワーダウンスイッチ手段を非導通状態にすることを特徴とする請求項１に記載のバッテリー保護回路。
　【請求項３】　
上記パワーダウンスイッチ手段が、非導通時であって、上記二次電池の電圧が略０Ｖの場合は、強制的に上記二次電池充電可能状態にする強制手段を備えたことを特徴とする請求項１に記載のバッテリー保護回路。
　【請求項４】　
いずれかの上記二次電池が過充電状態の場合は、上記パワーダウンスイッチ手段が非導通状態にならないようにするパワーダウン禁止手段を備えたことを特徴とする請求項２に記載のバッテリー保護回路。
　【請求項５】　
瞬間的に大電流が流れた場合には、該大電流を検出する過電流検出手段を設け、該過電流検出手段の検出信号に基づいて上記パワーダウンスイッチ手段が非導通状態にならないようにするパワーダウン禁止手段を備えたことを特徴とする請求項１、２又は４に記載のバッテリー保護回路。
　【請求項６】　
上記複数の二次電池の電池バランスを取る手段を備えたことを特徴とする請求項２に記載のバッテリー保護回路。
【発明の詳細な説明】
　【０００１】
　【産業上の利用分野】
　本発明は、二次電池の過充電及び過放電を防止するための、所謂バッテリー保護回路に関するものである。
　【０００２】
　【従来の技術】
　従来から電池が過放電状態になると電池性能は著しく劣化する。そのため、保護回路を設けて電池の劣化を未然に防止するようにしている。例えば、複数本の電池を直列に接続したバッテリーパックにおいては、直列に接続されたトータルの電圧を基準に過充電や過放電を検出した充電器や、負荷側をオン／オフすることによって電池の過充電及び過放電を防止するようにしている。
　【０００３】
　又、電池の保護機能は電池側ではなく、充電器や負荷側に設けられており、該充電器や負荷側が異常な過充電や過大電流が生じたときは、電池又はバッテリーパック内に備えてあるサーモスタット等の温度による検出によって電源供給をオン／オフする回路も付加されている。
　【０００４】
　しかし、上記方法では、特に複数の電池から構成されたバッテリーにおいては、夫々の電池の特性が揃っていない場合は、特定の電池のみ過充電や過放電状態となる恐れがあり、特に過放電及び過充電での性能の劣化が大きい電池であっては使用可能容量が減ったり、実質的に使用できない状態となってしまう。
　【０００５】
　そこで、同一出願人による先願発明（特願平３−２１３０１９号明細書）が提案された。この先願発明においては、直列接続された二次電池が充電及び放電を繰り返す過程において、個々の構成する電池の個体差により、電池の容量バランスが崩れてきても、そのバランスを復活する機能を有する電池容量バランス回路を充放電回路に設けて過充電及び過放電を防止する方法である。
　【０００６】
　即ち、電池容量バランス回路は、基本的に電池を保護する回路から構成されており、それは過充電の検出、充電電流のオフ、オーバーフローの検出、過放電の検出、放電電流のオフ、ヒステリシス、過電流の検出等の回路群から構成してバッテリーの保護をする方法である。
　【０００７】
　【発明が解決しようとする課題】
　しかしながら、前記先願発明においては、例え電池の過放電、過充電を検出しても、過放電検出後における回路群には電流が流れており、常時消費電流が生じている。そのため、バッテリー残存容量維持期間が短くなってしまう。例えば、残存容量が３０ｍＡｈとして、回路電流が２０μＡとすると１５００時間（約２ケ月）でバッテリー残存容量を使いきってしまうという問題点があった。
　【０００８】
　従って、バッテリーの過放電、過充電を検出する回路群と共に、過放電を検出後に回路に流れる電流を出来る限り少なくして放電をできるかぎり抑制して電池を保護することに解決しなければならない課題を有している。
　【０００９】
　【課題を解決するための手段】
　前記課題を解決する具体的手段として本発明は、二次電池と、該二次電池の電圧を検出すると共に、該検出電圧と基準電圧とを比較して上記二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段と、上記状態検知手段に供給する電源及び基準電圧源を遮断するためのパワーダウンスイッチ手段と、上記状態検知手段により過放電状態が検知された場合に上記パワーダウンスイッチ手段を非導通状態にするパワーダウン手段と、過放電状態から再び充電が開始された場合に上記パワーダウンスイッチ手段を非導通状態から導通状態に復帰させるパワーダウン解除手段と
、上記過放電状態から、再び充電開始の状態を上記二次電池の端子間に充電電圧が発生したことにより検出し、検出された充電状態を保持する状態保持手段とを備えたバッテリー保護回路において、上記状態保持手段は、上記二次電池の電圧が過放電領域を脱出するまで、上記充電状態を保持するとともに、上記パワーダウン解除手段は、上記状態検知手段における基準電圧用パワーダウンスイッチ手段を先に導通状態にし、基準電圧の発生を検知してから他のパワーダウンスイッチ手段を導通状態にすること
　【００１０】
　そして、
上記二次電池が複数直列につながれたバッテリー保護回路にあっては、上記パワーダウン手段は上記状態検知手段により少なくとも１つの上記二次電池の過放電状態が検知された場合に上記パワーダウンスイッチ手段を非導通状態にすること；上記パワーダウンスイッチ手段が、非導通時であって、上記二次電池の電圧が略０Ｖの場合は、強制的に上記二次電池充電可能状態にする強制手段を備えたこと；いずれかの上記二次電池が過充電状態の場合は、上記パワーダウンスイッチ手段が非導通状態にならないようにするパワーダウン禁止手段を備えたこと；瞬間的に大電流が流れた場合には、該大電流を検出する過電流検出手段を設け、該過電流検出手段の検出信号に基づいて上記パワーダウンスイッチ手段が非導通状態にならないようにするパワーダウン禁止手段を備えたこと；上記複数の二次電池の電池バランスを取る手段を備えたことを特徴とするバッテリー保護回路を提供するものである。
　【００１１】
　【作用】
　本発明に係るバッテリー保護回路は、バッテリーパックを構成する各電池毎からの端子電圧を監視して過充電、過放電を検出し、バッテリーパック側のスイッチ、負荷、充電器をオン／オフするので充電器や負荷の異常による影響を最小限に抑制すると共に、過充電、過放電の状態に応じ、バッテリーパックを構成する電池間のバランスを取ること、並びに電圧検出や制御に用いている回路群の消費電流を過放電領域ではパワーダウンモードにして消費電流を小さくするものである。
　【００１２】
　【実施例】
　本発明に係るバッテリー保護回路について、図を参照にして詳細に説明する。図１は本発明に係る第１実施例のバッテリー保護回路の概略を示すブロック図であり、該ブロック図において、１はバッテリー保護回路であり、該バッテリー保護回路１は、検出部２と、制御部３と、復帰部４と、パワーダウンＳＷ部５と、充放電スイッチ部６と、から構成され、複数のバッテリーであるところの電池Ａｂａｔ、Ｂｂａｔの充放電制御を行うものである。
　【００１３】
　検出部２は、電池電圧検出部７と過電流検出部８とから構成され、電池電圧検出部７は電池Ａｂａｔ、Ｂｂａｔの各電圧より過充電（Ａ、Ｂ）及び過放電（Ａ、Ｂ）状態を検出すると共に、過電流検出部８では過電流状態の検出を行う。
　【００１４】
　制御部３は、放電系制御ロジック部９及び放電ＳＷ制御部１０と、ＧＮＤレベルシフト部１１と、充電系制御ロジック部１２及び充電ＳＷ制御部１３とから構成されている。
　【００１５】
　制御部３の放電系制御ロジック部９及び放電ＳＷ制御部１０は、検出部２の電池電圧検出部７で検出した電池Ａｂａｔ、Ｂｂａｔの充放電状態や過電流検出部８からの過電流信号の状態から、電池電圧検出部７へオーバーフロー電流信号、後述する充放電スイッチ部６へは放電スイッチ信号、復帰部４へはパワーダウン信号を出力する。
　【００１６】
　又、放電系制御ロジック部９及び放電ＳＷ制御部１０からのグランド信号はＧＮＤレベルシフト部１１を介して充電系制御ロジック部１２及び充電ＳＷ制御部１３に入力される。
　【００１７】
　制御部３のＧＮＤレベルシフト部１１は、放電系制御ロジック部９及び放電ＳＷ制御部１０の放電スイッチと、充電系制御ロジック部１２及び充電ＳＷ制御部１３の充電スイッチのグランド（ＧＮＤ）が異なるため、夫々のグランド電位を一定の基準に定めるものである。
　【００１８】
　制御部３の充電系制御ロジック部１２及び充電ＳＷ制御部１３は、電池状態、充電検出（起動回路）等から充放電スイッチ部６の制御、復帰部４に対してパワーダウン解除信号の出力等を行う。
　【００１９】
　復帰部４は、パワーダウン制御部１４と起動回路充電検出部１５とから構成されている。パワーダウン制御部１４は、放電系制御ロジック部９からのパワーダウン信号を後述するパワーダウンＳＷ部５に送り、又、充電系制御ロジック部１２からのパワーダウン解除信号をパワーダウンＳＷ部５に送る。更に、起動回路充電検出部１５は、自動により充電を開始させるものである。
　【００２０】
　パワーダウンＳＷ部５は、パワーダウン制御部１４からのパワーダウン信号を検出部２及び制御部３に送り、電源をオフにしてパワーダウンモードにする。
　【００２１】
　充放電スイッチ部６は、制御部３の放電ＳＷ制御部１０及び充電ＳＷ制御部１３からの制御に基づいて電池Ａｂａｔ、Ｂｂａｔの充電及び放電の制御を行うものである。
　【００２２】
　次に、図１のブロック図に基づいて放電時と、充電時における概ねの動作を説明する。
［１］　放電時
　複数の電池Ａｂａｔ、Ｂｂａｔとから構成されたバッテリーにおいて、検出部２の電池電圧検出部７は常時電池Ａｂａｔ及び電池Ｂｂａｔとの放電状態を監視していて、該電池Ａｂａｔ又は電池Ｂｂａｔのいずれかが過放電状態になると過放電（Ａ）信号または過放電（Ｂ）信号を制御部３の放電系制御ロジック部９に送出し、放電系制御ロジック部９の制御により放電ＳＷ制御部１０によって充放電スイッチ部６の放電スイッチをオフする。
　【００２３】
　そして、充放電スイッチ部６の放電スイッチをオフすると共にパワーダウンモードとなる。このパワーダウンモードになるのは、電池Ａｂａｔ、Ｂｂａｔのいずれかが過放電状態になった場合、即ち、電池Ａｂａｔ、Ｂｂａｔとから構成されたバッテリーであれば、電池Ａｂａｔ、又は電池Ｂｂａｔのいずれかが過放電となった場合にパワーダウンモードに入る。
　【００２４】
　又、放電時において、所定値からなる過大電流が所定時間流れたことを検出部２の過電流検出部８によって検出した場合には、制御部３の放電ＳＷ制御部１０によって充放電スイッチ部６の放電スイッチをオフする。尚、瞬間的な大電流による過電流の状態が所定時間以内であれば放電スイッチはオフとならず、又その大電流によって過放電状態となっても所定時間内であればパワーダウンモードにならない様に構成してある。
　【００２５】
［２］　充電時
　電池Ａｂａｔ、又は電池Ｂｂａｔから構成されたバッテリーにおいて、電池Ａｂａｔ、又は電池Ｂｂａｔが過充電状態になったことを検出部２の電池電圧検出部７が検出すると、過充電（Ａ）信号または過充電（Ｂ）信号を制御部３の充電系制御ロジック部１２に送出し、充放電スイッチ部６の充電スイッチをオフする。同時に図示していないが、オーバーフロー回路により過充電状態となった電池を放電させる。
　【００２６】
　ここで、パワーダウンモード時からの充電の場合は、復帰部４の起動回路充電検出部１５からの充電検出信号に基づいて、制御部３の充電ＳＷ制御部１３の制御により強制的に充電動作を行い、且つパワーダウンからの解除準備を行う。トータル電池電圧が上昇し、所定電圧値以上（基準電圧発生）になり、検出部２が強制的にパワーダウン解除となって電池電圧を検出し、電池Ａｂａｔ、Ｂｂａｔ共に過放電を脱するとパワーダウン解除信号を復帰部４のパワーダウン制御部１４に送出してパワーダウンモードから抜け出す。即ち、過放電状態を脱出して、正常充電状態となる。尚、電池Ａｂａｔ、又は電池Ｂｂａｔの片方が過放電状態であっても、他方が過充電状態であればパワーダウンモードには入らず、過充電状態が最優先される。
　【００２７】
　次に、電池Ａｂａｔ、Ｂｂａｔから構成されているバッテリーの放電特性とパワーダウンモードについて説明する。即ち、バッテリーの放電特性は、図２に示したように、放電時間の経過と共に電池電圧が放電カーブ１６を描きながら下がり続け、予め所定電圧値に設定されている過放電電圧値１７以下になった状態が過放電状態である。
　【００２８】
　この過放電状態を図１に示した検出部２が検出すれば、充放電スイッチ部６の放電スイッチをオフすることによって負荷に対する放電は無くなり、バッテリーの電圧は過放電領域１８で保持され、その残存容量（ｍＡｈ）１９は予め算出することができる。
　【００２９】
　しかし、負荷に対する放電は無くなったとしても、前記図１で示したバッテリー保護回路１にはその後も若干の電流が流れ続ける。従って、放電は進行し続けるので、残存容量１９の放電カーブは放電方向２０となる。
　【００３０】
　そのため考え出されたのがパワーダウンモードであって、過放電状態になったバッテリー保護回路の内、必要とする最小限の回路を除いた回路への電流を遮断する方法である。
　【００３１】
　この、パワーダウンモードを設けることによって、放電カーブは放電方向２１となり、過放電状態になったときの残存容量１９による電圧維持の期間に、パワーダウンモードを設けなかった場合と比較するときわめて大きな差が出る。例えば過放電状態となったときの残存容量１９が３０ｍＡｈ、過放電領域１８において動作をするための回路消費電流が２０μＡ、パワーダウンモードを設けた場合の過放電領域１８において動作するための回路消費電流を１μＡとすれば、以下の表１に示すように電池電圧が過放電領域１８から０Ｖになるまでの時間を大幅に改善することができる。
　【００３２】
　【表１】
　【００３３】
　この表から理解できるように、電池電圧が０Ｖになるまでの時間が１５００時間→３万時間と大幅に改善することができ、実際には電池電圧が下がると消費電流もある程度少なくなるので、更に長期間維持でき、バッテリーが過放電状態となることによって生じる性能劣化を未然に防止することができる。
　【００３４】
　次に本発明に係る第１実施例のバッテリー保護回路について図を参照して説明する。図３は、バッテリー保護回路１の構成を示したものであり、主に５個のコンパレータと複数のスイッチング素子と、複数のゲートとで構成され、これらの接続状態は以下のようになっている。
　【００３５】
　即ち、バッテリー保護回路１が組み込まれたバッテリー構成体は、充電器又は負荷のプラス側と接続するプラス側接続端子（Ｅｂ＋）に接続されたヒューズ２３を介して電池Ａｂａｔのプラス側に接続され、該電池Ａｂａｔのマイナス側は電池Ｂｂａｔのプラス側に接続された、所謂直列接続になっている。
　【００３６】
　そして、電池Ｂｂａｔのマイナス側
は放電用パワーＮＭＯＳトランジスターＱＤからなる第一のスイッチ手段と、充電用パワーＮＭＯＳトランジスターＱＣからなる第二のスイッチ手段
　【００３７】
　前記、バッテリー保護回路１は、プラス側端子（Ｅｂ＋）と保護抵抗Ｒ１０を介して端子ＶＤＤに接続され、端子ＣＰＵは抵抗Ｒ１１を介してＮＭＯＳトランジスターＱ１４のドレン端子に接続されている。
　【００３８】
　電池Ａｂａｔのマイナス側と電池Ｂｂａｔのプラス側との接続点は、端子ＶＣに接続され、電池Ｂｂａｔのマイナス側の端子ＣＰＤは抵抗Ｒ１２を介してＮＭＯＳトランジスターＱ１５のドレン端子に接続され、保護抵抗Ｒ１３を介して端子ＶＳＳに接続されている。
　【００３９】
　
パワーＮチャネルＭＯＳトランジスターＱＤ（以下、パワーＮＭＯＳトランジスターＱＤと云う）の第一のスイッチ手段は、
　【００４０】
　
パワーＮチャネルＭＯＳトランジスターＱＣ（以下、パワーＮＭＯＳトランジスターＱＣと云う）の第二のスイッチ手段は、
　【００４１】
　パワーダウンスイッチ（ＰＤＳＷ１〜４）は、パワーダウン信号（ＰＤＡ、ＰＤＢ）により開閉するスイッチであって、パワーダウンスイッチ（ＰＤＳＷ１、２）の一方の端子を端子ＶＤＤに接続し、他方の端子であるパワーダウンスイッチＰＤＳＷ１の接続点ａ及びパワーダウンスイッチＰＤＳＷ２の接続点ｂは、夫々コンパレーターＣＯＭＰ１、２、３、４、５の電源入力端子及び基準電圧源２９の電源入力端子に接続されている。
　【００４２】
　更に、パワーダウンスイッチＰＤＳＷ３は、その一方の端子を抵抗１６の他端に接続され、他方の端子は、端子ＶＣに接続されている。
　【００４３】
　もう一つのパワーダウンスイッチＰＤＳＷ４は、その一方の端子を抵抗Ｒ１９の他端に接続され、他方の端子は、端子ＶＳＳに接続されている。
　【００４４】
　コンパレーターＣＯＭＰ１は、２個の入力端子と１個の出力端子とから構成され、一方の反転入力端子（以下マイナス側入力端子と云う）は、抵抗Ｒ１４の他端と抵抗Ｒ１５の一端との接続点に接続され、他方の非反転入力端子（以下プラス側入力端子と云う）は、基準電圧Ｅ１（＋１．５Ｖ）のプラス側に接続され、出力端子はノアゲートＧ２の入力端子に接続されている。尚、抵抗Ｒ１４の一端は端子ＶＤＤに、抵抗Ｒ１５の他端は抵抗Ｒ１１の一端とコンパレーターＣＯＭＰ２のプラス側入力端子との接続点に接続され、基準電圧Ｅ１のマイナス側は端子ＶＣに接続されている。
　【００４５】
　コンパレーターＣＯＭＰ２は、２個の入力端子と１個の出力端子とから構成され、一方のマイナス側入力端子は、基準電圧Ｅ１（＋１．５Ｖ）のプラス側に接続され、他方のプラス側入力端子は、抵抗Ｒ１５の他端と抵抗Ｒ１１の一端との接続点に接続され、出力端子はノアゲートＧ８の入力端子及びＮＭＯＳトランジスターＱ１４のゲート端子に接続されている。尚、コンパレーターＣＯＭＰ２のヒステリシススイッチ入力端子は、アンドゲートＧ１の出力端子に接続されている。
　【００４６】
　コンパレーターＣＯＭＰ３は、２個の入力端子と１個の出力端子とから構成され、一方のマイナス側入力端子は、抵抗Ｒ１７の他端と抵抗Ｒ１８の一端との接続点に接続され、他方のプラス側入力端子は、基準電圧Ｅ２（＋１．５Ｖ）のプラス側に接続され、出力端子はノアゲートＧ２の入力端子に接続されている。尚、抵抗Ｒ１７の一端は端子ＶＣに接続され、抵抗Ｒ１８の他端は抵抗Ｒ１９の一端とコンパレーターＣＯＭＰ４のプラス側入力端子とに接続されている。
　【００４７】
　コンパレーターＣＯＭＰ４は、２個の入力端子と１個の出力端子とから構成され、一方のマイナス側入力端子は、基準電圧Ｅ２（＋１．５Ｖ）のプラス側に接続され、他方のプラス側入力端子は、抵抗Ｒ１８の他端と抵抗Ｒ１９の一端との接続点に接続され、出力端子はノアゲートＧ８の入力端子及びＮＭＯＳトランジスターＱ１５のゲート端子に接続されている。尚、コンパレーターＣＯＭＰ４のヒステリシススイッチ入力端子は、アンドゲートＧ１の出力端子に接続されている。
　【００４８】
　コンパレーターＣＯＭＰ５は、２個の入力端子と１個の出力端子とから構成され、一方のマイナス側入力端子は、基準電圧Ｅ３（＋０．４Ｖ）のプラス側に接続され、他方のプラス側入力端子は、端子ＶＭに接続され、出力端子は遅延用ＣＲを構成する抵抗Ｒ４の他端及びアンドゲートＧ１の入力端子に接続されている。尚、抵抗Ｒ４の一端はノアゲートＧ９の入力端子及びキャパシターＣ２の一端に接続され、キャパシターＣ２の他端は端子ＶＤＤに接続されている。
　【００４９】
　アンドゲートＧ１は、２個の入力端子と１個の出力端子からなるゲートであって、一方の入力端子はコンパレーターＣＯＭＰ５の出力端子に接続され、他方の入力端子はノアゲートＧ２の出力端子に接続され、出力端子はコンパレーターＣＯＭＰ２、４のヒステリシススイッチ入力端子に接続されている。
　【００５０】
　ノアゲートＧ２は、２個の入力端子と１個の出力端子からなるゲートであって、一方の入力端子は、コンパレーターＣＯＭＰ１の出力端子に、他方の入力端子はコンパレーターＣＯＭＰ３の出力端子に接続され、出力端子はアンドゲートＧ１の入力端子、ノアゲートＧ３の入力端子、ノアゲートＧ１１の入力端子、及びＮＭＯＳトランジスターＱ１３のゲート端子に接続されている。
　【００５１】
　ノアゲートＧ３は、２個の入力端子と１個の出力端子からなるゲートであって、一方の入力端子はノアゲートＧ２の出力端子に接続され、他方の入力端子はコンパレーターＣＯＭＰ５の出力端子に接続され、出力端子はナンドゲートＧ４の入力端子及びノアゲートＧ９の入力端子に接続されている。
　【００５２】
　ナンドゲートＧ４は、２個の入力端子と１個の出力端子を備えているゲートであり、一方の入力端子はノアゲートＧ３の出力端子に接続され、他方の入力端子はノアゲートＧ８の出力端子に接続され、出力端子はパワーダウンラッチ回路のナンドゲートＧ６の入力端子に接続されている。
　【００５３】
　ナンドゲートＧ５は、２個の入力端子と１個の出力端子からなるゲートであって、ナンドゲートＧ６と共にパワーダウンラッチ回路を形成するものであり、一方の入力端子は抵抗Ｒ１の他端に接続され、他方の入力端子はナンドゲートＧ６の出力端子に接続され、出力端子はＮＭＯＳトランジスターＱ１５のソース
端子に接続
　【００５４】
　ナンドゲートＧ６は、２個の入力端子と１個の出力端子からなるゲートであって、ナンドゲートＧ５と共にパワーダウンラッチ回路を形成するものであり、一方の入力端子はナンドゲートＧ５の出力端子に接続され、他方の入力端子はナンドゲートＧ４の出力端子に接続され、出力端子はナンドゲートＧ５の入力端子、充電ロジックのＧＮＤレベルシフト部ＬＳＨ１の入力部、及びノアゲートＧ１１の入力端子に接続されている。
　【００５５】
　オアゲートＧ７は、２個の入力端子と１個の出力端子からなるゲートであって、充電ロジックの一要素であり、一方の入力端子は抵抗Ｒ１を介して端子ＶＤＤに接続され、他方の入力端子はＧＮＤレベルシフト部ＬＳＨ１の出力部に接続され、出力端子はナンドゲートＧ１０の入力端子に接続されている。
　【００５６】
　ノアゲートＧ８は、２個の入力端子と１個の出力端子からなるゲートであって、一方の入力端子はコンパレーターＣＯＭＰ２の出力端子に接続され、他方の入力端子はコンパレーターＣＯＭＰ４の出力端子に接続され、出力端子はナンドゲートＧ４の入力端子及び充電ロジックを構成するＧＮＤレベルシフト部ＬＳＨ２の入力部に接続されている。
　【００５７】
　ノアゲートＧ９は、２個の入力端子と１個の出力端子からなるゲートであって、一方の入力端子はノアゲートＧ３の出力端子に接続され、他方の入力端子は抵抗Ｒ４の一端及びキャパシターＣ２の一端に接続され、出力端子は端子ＤＯを介してパワーＮＭＯＳトランジスターＱＤのゲート端子に接続されている。
　【００５８】
　ナンドゲートＧ１０は、２個の入力端子と１個の出力端子からなるゲートであって、一方の入力端子はオアゲートＧ７の出力端子に接続され、他方の入力端子はＧＮＤレベルシフト部ＬＳＨ２の出力部に接続され、出力端子はＰＭＯＳトランジスターＱ９、Ｑ１０のゲート端子に接続されている。
　【００５９】
　ノアゲートＧ１１は、２個の入力端子と１個の出力端子からなるゲートであって、一方の入力端子はノアゲートＧ２の出力端子に接続され、他方の入力端子はＮＭＯＳトランジスターＱ１２の出力端子に接続され、出力端子はＮＭＯＳトランジスターＱ１２のゲート端子に接続されている。
　【００６０】
　ＰチャネルＭＯＳトランジスターＱ９（以下、ＰＭＯＳトランジスターＱ９と云う）は、ソース、ゲート、ドレン端子からなるトランジスターであって、ソース端子は端子ＶＤＤに接続され、ゲート端子はナンドゲートＧ１０の出力端子に接続され、ドレン端子はＮＭＯＳトランジスターＱ１０のドレン端子及び端子ＯＶを介してパワーＮＭＯＳトランジスターＱＣのゲート端子に接続されている。
　【００６１】
　ＮチャネルＭＯＳトランジスターＱ１０（以下、ＮＭＯＳトランジスターＱ１０と云う）は、ソース、ゲート、ドレン端子からなるトランジスターであって、ソース端子は端子ＶＭ及び充電ロジックのＧＮＤに接続され、ゲート端子はナンドゲートＧ１０の出力端子に接続され、ドレン端子はＰＭＯＳトランジスターＱ９のドレン端子及び端子ＯＶを介してパワーＮＭＯＳトランジスターＱＣのゲート端子に接続されている。
　【００６２】
　ＰチャネルＭＯＳトランジスターＱ１１（以下、ＰＭＯＳトランジスターＱ１１と云う）は、ソース、ゲート、ドレン端子からなるトランジスターであって、ソース端子はナンドゲートＧ５の出力端子に接続され、ゲート端子は基準電圧源の基準電圧発生信号を発生させる端子に接続され、ドレン端子は抵抗Ｒ０の一端に接続され、この端子からはパワーダウン信号（ＰＤＡ）が出力される。尚、抵抗Ｒ０の他端は接地されている。
　【００６３】
　ＮチャネルＭＯＳトランジスターＱ１２（以下、ＮＭＯＳトランジスターＱ１２と云う）は、ソース、ゲート、ドレン端子からなるトランジスターであって、ソース端子は端子ＶＭに接続され、ゲート端子はノアゲートＧ１１の出力端子に接続され、ドレン端子はナンドゲートＧ５、Ｇ７の入力端子及び抵抗Ｒ１の他端に接続されている。
　【００６４】
　ＮチャネルＭＯＳトランジスターＱ１３（以下、ＮＭＯＳトランジスターＱ１３と云う）は、ソース、ゲート、ドレン端子からなるトランジスターであって、ソース端子は端子ＶＳＳに接続され、ゲート端子はノアゲートＧ２の出力端子に接続され、ドレン端子は抵抗Ｒ５の一端に接続されている。尚、抵抗Ｒ５の他端は端子ＶＭに接続されている。
　【００６５】
　ＮチャネルＭＯＳトランジスターＱ１４（以下、ＮＭＯＳトランジスターＱ１４と云う）は、ソース、ゲート、ドレン端子からなるトランジスターであって、ソース端子は端子ＶＣに接続され、ゲート端子はコンパレーターＣＯＭＰ２の出力端子に接続され、ドレン端子は抵抗Ｒ１１を介して端子ＣＰＵに接続されている。
　【００６６】
　ＮチャネルＭＯＳトランジスターＱ１５（以下、ＮＭＯＳトランジスターＱ１５と云う）は、ソース、ゲート、ドレン端子からなるトランジスターであって、ソース端子は端子ＶＣに接続され、ゲート端子はコンパレーターＣＯＭＰ４の出力端子に接続され、ドレン端子は抵抗Ｒ１２を介して端子ＣＰＤに接続されている。
　【００６７】
　ＧＮＤレベルシフト部ＬＳＨ１は、その入力部はパワーダウンラッチ回路のナンドゲートＧ６の出力端子に接続され、その出力部はオアゲートＧ７の入力端子に接続されている。
　【００６８】
　そして、ＧＮＤレベルシフト部ＬＳＨ２は、その入力部はノアゲートＧ８の出力端子に接続され、その出力部はナンドゲートＧ１０の入力端子に接続されている。
　【００６９】
　基準電圧源２９は、基準電圧値Ｅ１、Ｅ２、Ｅ３を発生させ、基準電圧値Ｅ１はコンパレーターＣＯＭＰ１のプラス側入力端子及びコンパレーターＣＯＭＰ２のマイナス側入力端子に接続し、基準電圧値Ｅ２はコンパレーターＣＯＭＰ３のプラス側入力端子及びコンパレーターＣＯＭＰ４のマイナス側入力端子に接続し、基準電圧値Ｅ３はコンパレーターＣＯＭＰ５のマイナス側入力端子に接続されている。
　【００７０】
　上記接続状態にあるバッテリー保護回路１における各々の電池Ａｂａｔ、Ｂｂａｔの端子電圧は、コンパレーターＣＯＭＰ１〜４により、基準電圧値Ｅ１、Ｅ２（＋１．５Ｖ）とラダー抵抗群（Ｒ１４、Ｒ１５、Ｒ１１、Ｒ１７、Ｒ１８、Ｒ１９）を介した，所謂検出電圧値とを比較して、過充電や過放電を検出する。即ち、コンパレーターＣＯＭＰ１、ＣＯＭＰ３は正の基準電圧Ｅ１、Ｅ２（＋１．５Ｖ）をプラス側入力端子に入力して基準とし、コンパレーターＣＯＭＰ２、ＣＯＭＰ４は正の基準電圧Ｅ１、Ｅ２（＋１．５Ｖ）をマイナス側入力端子に入力して基準とし、電池Ａｂａｔ、Ｂｂａｔの端子電圧を分圧した検出電圧値と比較している。尚、基準電圧Ｅ１（＋１．５Ｖ）は、レベルシフトをして端子ＶＣの電位を０ＶとしてコンパレーターＣＯＭＰ１、ＣＯＭＰ２の比較基準としている。
　【００７１】
　ここで、直列接続された抵抗Ｒ１４、Ｒ１５、Ｒ１１、Ｒ１７、Ｒ１８、Ｒ１９からなるラダー抵抗群は、過充電、過放電電圧時に各々が基準電圧Ｅ１、Ｅ２（＋１．５Ｖ）と比較できるよう分圧する抵抗群である。更に、コンパレーターＣＯＭＰ５は、基準電圧値Ｅ３（＋０．４Ｖ）とマイナス側端子（Ｅｂ−）の電圧値とを比較して過電流の検出に使用するものである。
　【００７２】
　次に、このような基準電圧値を基準にした動作を項目毎に説明する。
（１）充電及び過充電の場合。
　充電の場合には、外部の充電器との接続端子又は放電負荷端子となるプラス側端子（Ｅｂ＋）から二次電池Ａｂａｔ、Ｂｂａｔ、パワーＮＭＯＳトランジスターＱＤ、ＱＣを経て、マイナス側端子（Ｅｂ−）へ充電電流が流れる。
　【００７３】
　充電が進み過充電状態になると過充電検出回路（コンパレーターＣＯＭＰ２、ＣＯＭＰ４）からのＨレベル信号がノアゲートＧ８を介してＬレベル信号が充電ロジックのＧＮＤレベルシフト部ＬＳＨ２に入力されグランドレベルシフト（後述する）され、ナンドゲートＧ１０の入力条件が満足しなくなり、パワーＮＭＯＳトランジスターＱＣはオフされる。
　【００７４】
　この時、コンパレーターＣＯＭＰ２、４にヒステリシス幅電圧（例えば０．２Ｖ）の余裕を持たせアンドゲートＧ１からのヒステリシス信号がＨレベルの時はヒステリシスを解除（後述する（５）ヒステリシス解除信号の項参照）して、直ちに再度充電の開始する動作を回避する。
　【００７５】
　同時に、コンパレーターＣＯＭＰ２の出力端子からのＨレベルの信号は、ＮＭＯＳトランジスターＱ１４をオンさせることによって、過充電オーバーフロー電流を放電させバッテリーである電池Ａｂａｔを保護する。即ち、ＮＭＯＳトランジスターＱ１４がオンすると、電池Ａｂａｔのプラス側に接続されている端子ＣＰＵを介して抵抗Ｒ１１に電流が流れ、ヒステリシス幅分低い電圧（例えば４．２Ｖ）まで放電する。尚、電池Ｂｂａｔで使用されるコンパレーターＣＯＭＰ４及びＰＭＯＳトランジスターＱ１５等についても同様の機能をするのでその説明を省略する。
　【００７６】
　即ち、充電電流を遮断後、直ちに充電をしないようにヒステリシスを持たせる回路を作動させると共に、過充電オーバーフロー電流を放電させることによって、バッテリー（電池Ａｂａｔ、Ｂｂａｔ）を保護することができる。
　【００７７】
（２）過放電の場合。
　プラス側端子（Ｅｂ＋）とマイナス側端子（Ｅｂ−）とに負荷をつなぐことによって、バッテリー（電池Ａｂａｔと電池Ｂｂａｔ）は放電状態となる。この放電状態は、コンパレーターＣＯＭＰ１及びコンパレーターＣＯＭＰ３を中心とする過放電検出回路によって常時監視されている。以下、電池Ａｂａｔの過放電状態を検出するコンパレーターＣＯＭＰ１を中心に説明する。即ち、放電状態が続き、例えば電池Ａｂａｔの電圧が過放電電圧（例えば２．４Ｖ）になると、基準電圧値Ｅ１（＋１．５Ｖ）と比較され、コンパレーターＣＯＭＰ１の出力端子からはＨレベルの信号が出力する。
　【００７８】
　コンパレーターＣＯＭＰ１の出力端子からのＨレベル信号は、ノアゲートＧ２を介してノアゲートＧ３に入力され、Ｈレベル信号を出力する。このノアゲートＧ３からのＨレベル信号はノアゲートＧ９に入力され、その出力信号はＬレベルになって、パワーＮＭＯＳトランジスターＱＤをオフして放電電流を遮断する。
　【００７９】
　一方、ノアゲートＧ３からのＨレベル信号はナンドゲートＧ４に入力され、パワーダウンラッチ回路のナンドゲートＧ６にＬレベル信号を入力し、ナンドゲートＧ５、Ｇ６でラッチ状態にして、この状態をホールドすることによってパワーダウン信号（ＰＤＢ）がＬレベルになる。
　【００８０】
　同時に、ＰＭＯＳトランジスターＱ１１を介してパワーダウン信号（ＰＤＡ）もＬレベルになる。
　【００８１】
　この、Ｌレベルになったパワーダウン信号（ＰＤＢ）は、パワーダウンスイッチＰＤＳＷ２を開状態にして基準電圧源２９を遮断することによって基準電圧値Ｅ１、Ｅ２、Ｅ３をオフする。
　【００８２】
　更に、Ｌレベルとなったパワーダウン信号（ＰＤＡ）は、パワーダウンスイッチＰＤＳＷ２，３，４を開状態にしてコンパレーターＣＯＭＰ１〜５に供給されている電源、及びラダー抵抗群（抵抗Ｒ１４、Ｒ１５、Ｒ１１、Ｒ１７、Ｒ１８、Ｒ１９）に供給している電源を遮断する。
　【００８３】
　このパワーダウン時は、コンパレーターＣＯＭＰ２、ＣＯＭＰ４の出力はＬレベル信号、コンパレーターＣＯＭＰ１、ＣＯＭＰ３の出力はＨレベルの信号、コンパレーターＣＯＭＰ５の出力はＬレベルの信号、遅延用ＣＲの出力はＨレベルの信号になるように回路構成を切り換える。
　【００８４】
（３）過電流検出の場合。
　過電流の検出はコンパレーターＣＯＭＰ５を中心とした回路によって構成され、基準電圧値Ｅ３（＋０．４Ｖ）と比較して検出する。即ち、パワーＮＭＯＳトランジスターＱＤ及びパワーＮＭＯＳトランジスターＱＣのオン抵抗（例えば合計して１００ｍΩ）による電圧降下で生ずる電位差が基準電圧値Ｅ３（＋０．４Ｖ）を越えると、コンパレーターＣＯＭＰ５の出力端子の信号がＨレベルとなる。
　【００８５】
　コンパレーターＣＯＭＰ５の出力端子からのＨレベルの信号は、抵抗Ｒ４とキャパシタＣ２によって構成された遅延用ＣＲから発生する時間帯（例えば約１．８ｍｓｅｃ）の経過後にノアゲートＧ９を介してパワーＮＭＯＳトランジスターＱＤをオフして放電電流を遮断する。この状態の時、即ち、パワーＮＭＯＳトランジスターＱＤがオフされると、プラス側端子（Ｅｂ＋）とマイナス側端子（Ｅｂ−）に接続されている負荷を介して、端子（Ｅｂ＋）の高い電圧が端子ＶＭの電圧値となる。従って、端子ＶＭに生じた高い電圧値は、ほぼプラス側端子（Ｅｂ＋）に生じている電圧値に近い値となり、コンパレータＣＯＭＰ５の出力側の過電流検出信号をＨレベルにホールドすることができる。
　【００８６】
　ここで、プラス側端子（Ｅｂ＋）とマイナス側端子（Ｅｂ−）との間に接続されている負荷を外すと、ＮＭＯＳトランジスターＱ１３及び抵抗Ｒ５を介して端子ＶＭの電圧を約０Ｖまで引き下げることによってコンパレーターＣＯＭＰ５の出力端子の過電流検出信号はＬレベルになり過電流状態から復帰することができる。
　【００８７】
　又、抵抗Ｒ４とキャパシターＣ２とからなる遅延用ＣＲは所定時間（例えば約１．８ｍｓｅｃ）以上の時間を持たせてある。これはコンデンサー負荷等などで瞬間的な大電流が流れた時に、パワーＮＭＯＳトランジスターＱＤをオフさせないために設けたものである。
　【００８８】
（４）パワーダウン禁止ロジック。
　パワーダウン禁止ロジックは、ノアゲートＧ３とナンドゲートＧ４とから構成され、前記した瞬間的な大電流等で過放電が働き、パワーダウンモードとなることを防止する回路である。即ち、過電流検出が働くような大電流では、バッテリーの内部抵抗で端子電圧が過放電検出状態まで下がることがある。そして、コンデンサー負荷や間違ってショートした場合にパワーダウンモードになってしまっては実用上きわめて不都合である。そこで、コンパレーターＣＯＭＰ５が作動して出力端子からＨレベルの信号が出力されると、即座にノアゲートＧ３に入力してパワーダウンモードに入るのを禁止する。
　【００８９】
　又、電池ＡｂａｔとＢｂａｔからなるバッテリーのバランスが極端に相違して片方の電池は過充電状態（例えば、充電後、オーバーフロー放電中）の時も、他方の電池が過放電状態になってもナンドゲートＧ４によりパワーダウンモードに入るのを禁止する。従って、もしオーバーフロー放電の時にオフされることによって、過充電状態のままで放置されることを未然に防止してバッテリーを保護できる。
　【００９０】
（５）ヒステリシス解除信号（アンドゲートＧ１の出力信号）。
　過充電状態（例えば、充電直後）で放電すると、パワーＮＭＯＳトランジスターＱＣがオフしているため、放電電流が寄生ダイオードＤ２に流れ、寄生ダイオードＤ２の順方向電圧（例えば約０．７Ｖ）によって、端子ＶＭの電圧が高くなり、過電流検出回路が働いて放電ができなくなる。
　【００９１】
　そのため、過電流検出回路のコンパレーターＣＯＭＰ５の出力端子の信号がＨレベルになった場合には、コンパレーターＣＯＭＰ２、ＣＯＭＰ４のヒステリシス解除回路にＨレベル信号を入力して強制的にヒステリシスを解除する。ヒステリシスが解除されると、過充電検出が正常状態に戻るのでパワーＮＭＯＳトランジスターＱＤがオンとなり放電が可能となる。
　【００９２】
　尚、電池Ａｂａｔ又は電池Ｂｂａｔとのどちらかが過放電状態の時は、アンドゲートＧ１によりヒステリシスの解除が禁止される。過放電状態では、放電電流を流すことが出来ないのにヒステリシスを解除するとパワーダウンモードとなってしまい、過充電状態の電池Ａｂａｔ又は電池Ｂｂａｔはオーバーフロー電流がオフとなり、過充電状態のままとなってしまうことを回避してバッテリーを保護するためである。尚、片側が過充電、もう一方が過放電という状態は非常に希なケースである。
　【００９３】
（６）パワーダウンモード時からの充電。
　プラス側端子（Ｅｂ＋）とマイナス側端子（Ｅｂ−）間に充電器をつなぐと両端子間に充電電圧が掛かり、バッテリー電圧（電池Ａｂａｔ、Ｂｂａｔ間電圧）よりも充電電圧が高いのでマイナス側端子（Ｅｂ−）の電圧が電池Ｂｂａｔのマイナス側電圧（ＧＮＤ）より低くなる。パワーダウンモード時は、前記したように
パワーＮＭＯＳトランジスターＱＤからなる第一のスイッチ手段とパワーＮＭＯＳトランジスターＱＣからなる第二のスイッチ手段
　【００９４】
　この状態において、マイナス側端子（Ｅｂ−）の電位、即ち端子ＶＭの電位がＧＮＤより下がるのでＮＭＯＳトランジスターＱ１２のゲート端子とソース端子間に正の電圧が掛かる。従って、ＮＭＯＳトランジスターＱ１２がオンできる状態になる。ＮＭＯＳトランジスターＱ１２がオンすると、ナンドゲートＧ５の入力がＬレベル信号になるので、もう一方の入力の状態に拘らず出力がＨレベル信号となり、パワーダウン解除の準備が出来る（後述する（７）パワーダウンモードからの復帰の項参照）。
　【００９５】
　ＮＭＯＳトランジスターＱ１２がオンするとオアゲートＧ７、ナンドゲートＧ１０を介してＰＭＯＳトランジスターＱ９がオン、ＮＭＯＳトランジスターＱ１０がオフの状態になり端子ＯＶの電位が端子ＶＤＤを介してプラス側端子（Ｅｂ＋）の電位となり、
パワーＮＭＯＳトランジスターＱＣからなる第二のスイッチ手段
　【００９６】
　同時に、ノアゲートＧ１１の入力がＬレベル信号となるので（もう一方の入力は過放電状態なのでＬレベル信号）、ノアゲートＧ１１の出力はＨレベルの信号となりＮＭＯＳトランジスターＱ１２のゲート端子の信号をＨレベルにする。従って、ＮＭＯＳトランジスターＱ１２とノアゲートＧ１１とで起動状態がホールドされることになる。
　【００９７】
　ここで、
パワーＮＭＯＳトランジスターＱＣからなる第二のスイッチ手段
　【００９８】
　このことにより、パワーＮＭＯＳトランジスターＱＣは、ゲート電圧が０Ｖ、ソース電圧、即ち端子ＶＭの電圧がマイナスでオンとなり充電電流を流す。この時はパワーＮＭＯＳトランジスターＱＤはオフなので充電電流は、パワーＮＭＯＳトランジスターＱＤの寄生ダイオードＤ１を通り流れることになる。
　【００９９】
　又、充電ロジックのＧＮＤレベルは端子ＶＭの電位となっているので、
パワーＮＭＯＳトランジスターＱＤ、ＱＣ
　【０１００】
　少し充電が進み、バッテリーの保持電圧が上昇すると共にパワーＮＭＯＳトランジスターＱＣのゲート電圧も上昇し、端子ＶＭの電位のマイナス分が減少する。更に充電が進みパワーダウンモードを脱するとパワーＮＭＯＳトランジスターＱＤがオンして端子ＶＭの電位は略０Ｖとなる。
　【０１０１】
　電池Ａｂａｔ、Ｂｂａｔの電圧が両方とも過放電電圧以上になるとコンパレーターＣＯＭＰ１、
ＣＯＭＰ３
　【０１０２】
　同時にノアゲートＧ２の出力がＨレベル信号になることでアンドゲートＧ１１の入力がＨレベル信号となり、ナンドゲートＧ１１のもう一方の入力レベルにかかわらずナンドゲートＧ１１の出力がＬレベル信号となり、ＮＭＯＳトランジスターＱ１２とナンドゲートＧ１１とによる起動状態のホールドが解除される。
　又、ノアゲートＧ３の出力端子のＬレベル信号により、ノアゲートＧ９を介してパワーＮＭＯＳトランジスターＱＤをオンにして正常状態の充電となる。
　【０１０３】
（７）パワーダウンモードからの復帰。
　パワーダウンモードからの復帰は、パワーダウン信号ＰＤＡ、ＰＤＢがＬレベルからＨレベルになることによって復帰することができる。このパワーダウン信号ＰＤＡがＨレベルになるためには、バッテリー（電池Ａｂａｔ、Ｂｂａｔ）の電圧と深く関係している。即ち、パワーダウン信号ＰＤＡは、ラダー抵抗群とコンパレーターのオン／オフを制御し、パワーダウン信号ＰＤＢは基準電圧源２９のオン／オフを制御している。このパワーダウン信号ＰＤＢは充電が開始（ＮＭＯＳトランジスターＱ１２がオン、ＰＭＯＳトランジスターＱ１１はオフの状態）すると直ちにＨレベルに復帰し、パワーダウンスイッチＰＤＳＷ２を閉状態にして基準電圧源２９をオンし、基準電圧値Ｅ１、Ｅ２（＋１．５Ｖ）、Ｅ３（０．４Ｖ）が発生すると所定の基準電圧発生信号により、ＰＭＯＳトランジスターＱ１１がオンして、パワーダウン信号ＰＤＡがＬレベルになり、パワーダウンスイッチＰＤＳＷ１、３、４を閉状態にする。
　【０１０４】
（８）充電ロジック。
　充電の開始は前記した起動回路（ノアゲートＧ１１及びＮＭＯＳトランジスターＱ１２で構成）からのＬレベルの信号がオアゲートＧ７に入力され、その出力信号はＨレベルとなり、ナンドゲートＧ１０の一方の入力条件を満足する。他方のナンドゲートＧ１０の入力条件はＧＮＤレベルシフト部ＬＳＨ２からの信号であり、過充電でない場合にはＨレベル信号であるので、ナンドゲートＧ１０の入力条件はすべて満足され、その出力はＬレベル信号となり、ＰＭＯＳトランジスターＱ９をオンし、ＮＭＯＳトランジスターＱ１０をオフすることにより、端子ＯＶの信号がＨレベルになり、パワーＮＭＯＳトランジスターＱＣをオンさせ、充電電流が流れる。
　【０１０５】
　上記充電電流が継続した状態に於て、もし、過充電状態となると過充電検出回路からの信号はＬレベルとなってグランドレベルシフト（後述する）をしてナンドゲートＧ１０に入力され入力条件が満足しなくなり、その出力端子はＨレベルの信号となり、端子ＣＯの信号がＬレベルの信号になって、パワーＮＭＯＳトランジスターＱＣがオフし、充電電流は遮断される。
　【０１０６】
　グランドレベルシフトについては図４及び図５によって説明する。このグランドレベルシフトとは、放電側グランド（電池のグランド端子ＶＳＳの電位）であるパワーＮＭＯＳトランジスターＱＤのソース電位と、充電側グランド（端子ＶＭの電位）であるハイパワーＮＭＯＳトランジスターＱＣのソース端子の電位とをシフトして同一電位にするものである。そして、図５は、前記説明した図３に示した全体回路図の内、パワーＮＭＯＳトランジスターＱＤとパワーＮＭＯＳトランジスターＱＣとを中心にした充放電回路であって、充電するパワーＮＭＯＳトランジスターＱＣと、放電するパワーＮＭＯＳトランジスターＱＤは夫々、端子ＶＭの電位、端子ＶＳＳの電位に対して０Ｖにしないと完全にオフする事ができない。
　【０１０７】
　この不都合を解決すべく充電ロジックに抵抗を設けて、所謂グランドレベルシフト機能を付加する。このグランドレベルシフトについて、図５を参照にして詳細に説明すると、図５は、前記説明した図３の充電ロジックのＭＯＳトランジスターをＱＰとＱＮとし、抵抗Ｒで表したものである。
　【０１０８】
　即ち、ｘ点である端子ＶＳＳの電位がＬレベルの信号の時に端子ＶＭの電位が、端子ＶＳＳの電位と同電位であれば、ＭＯＳトランジスターＱＰがオンし、ＭＯＳトランジスターＱＮがオフすることによってＯＵＴ信号がＨレベルとなり、何ら問題はない。しかし、もし抵抗Ｒを介在させない状態で端子ＶＭの電位が低くなると（充電中は必ずこの状態となる）、ＭＯＳトランジスターＱＮもオンしてしまい、ＭＯＳトランジスターＱＰとＭＯＳトランジスターＱＮが、共にオンとなってしまう、即ちショート状態となるので、ＯＵＴ信号のＨレベル状態が不確定状態のレベルとなり、更に、ショート電流がＭＯＳトランジスターＱＰとＭＯＳトランジスターＱＮ間に流れるという不都合が生じる。
　【０１０９】
　そこで、図５に示すように、ＭＯＳトランジスターＱＰとＭＯＳトランジスターＱＮの間に抵抗Ｒを介在させることによって、ＭＯＳトランジスターＱＮがオンしても、ｙ点がＬレベルとなるだけであって、ＯＵＴ信号のＨレベル状態は確保される。この抵抗Ｒにはショート電流が流れることになるので、抵抗値は数Ｋオーム〜数Ｍオームにする必要がある。尚、このショート電流は充電時だけ流れる。又、ｘ点がＨレベルの時は、端子ＶＭの電位が低くなっても、高くなってもＯＵＴ信号はＬレベル（即ち端子ＶＭの電位）となる。
　【０１１０】
（９）パワーダウンモード時における回路。
　パワーダウンモードに入ると各コンパレーターの出力は切り放され、夫々必要な信号状態になっている。即ち、過充電検出出力の信号はＬレベル、過放電検出出力の信号はＨレベル、過電流検出出力の信号はＬレベル、に維持され、適宜ＭＯＳトランジスター等を組み込んでパワーダウン信号により制御するようにできる。又、定電流回路のＮＭＯＳトランジスターＱ１３は、無負荷時における端子ＶＭの電圧を０Ｖにする回路であり、パワーダウンモードの時は当然にオフされている。
　【０１１１】
　そのほか、端子ＶＤＤ、ＣＰＵ、ＣＰＤ、ＶＳＳ、ＶＭについている抵抗Ｒ１０、Ｒ１１、Ｒ１２、Ｒ１３、Ｒ２２は保護用のものであり、基本的には抵抗による電位差は生じない。
　【０１１２】
　【発明の効果】
　以上説明したように本発明のバッテリー保護回路は、以下のような効果を奏する。
（１）過放電状態から、再び充電開始の状態を二次電池の端子間に充電電圧が発生したことを検出して充電状態を保持する状態保持手段を備えたことによって、いわゆるパワーダウンモードから充電状態への復帰を容易に行うことができる。
　【０１１３】
（２）状態保持手段は、二次電池の電圧が過放電領域を脱出するまで、充電状態を保持することによって、確実にパワーダウンモードから復帰することができる。
　【０１１４】
（３）パワーダウンモードからの解除は、基準電圧を発生させた後、パワーダウンスイッチ手段を導通状態にすることによって、パワーダウンモードからの復帰を確実に行うことができる。
　【０１１５】
（４）パワーダウンスイッチ手段が非導通時であった場合に二次電池の電圧が略０Ｖの場合は、強制的に二次電池充電可能状態にする強制手段を備えたことによって、スイッチ手段を制御する電圧がなくてもパワーダウンモードから復帰することができる。
　【０１１６】
（５）いずれかの二次電池が過充電状態の場合は、パワーダウンスイッチ手段が非導通状態にならないようにするパワーダウン禁止手段を備えたことによって、過充電状態にある二次電池のいわゆるオーバーフロー電流を流すことができ、電池の寿命を長くすることができる。
　【０１１７】
（６）瞬間的に大電流が流れた場合には、パワーダウンモードにならないような防止手段を備えたことによって、コンデンサー負荷等の瞬間的に生じる大電流の発生や、瞬間的なショート状態が発生してもパワーダウンモードにならないので、一時的な外部変動に対しても安定してバッテリーの電圧を供給することができる。
【図面の簡単な説明】
　【図１】
　本発明に係るバッテリー保護回路の全体ブロックダイヤグラム図である。
　【図２】
　同、バッテリー放電特性をグラフで表した説明図である。
　【図３】
　同、全体の回路図である。
　【図４】
　同、パワーＭＯＳトランジスターのグランド（ＧＮＤ）の様子を示した説明図である。
　【図５】
　図８で示したグランド（ＧＮＤ）をシフトして同電位にする、所謂グランドレベルシフトの例をブロック図で示した説明図である。
　【符号の説明】
　１　　バッテリー保護回路
　２　　検出部
　３　　制御部
　４　　復帰部
　５　　パワーダウンＳＷ部
　６　　充放電スイッチ部
　７　　電池電圧検出部
　８　　過電流検出部
　９　　放電系制御ロジック部
　１０　　放電ＳＷ制御部
　１１　　ＧＮＤレベルシフト部
　１２　　充電系制御ロジック部
　１３　　充電ＳＷ制御部
　１４　　パワーダウン制御部
　１５　　起動回路充電検出部
　１６　　放電カーブ
　１７　　過放電電圧値
　１８　　過放電領域
　１９　　残存容量
　２０、２１　　放電方向
　２３　　ヒューズ
　２８　　起動部
　Ａｂａｔ、Ｂｂａｔ　　電池
　ＣＯＭＰ１〜ＣＯＭＰ５　　コンパレーター
　Ｃ２　　キャパシター
　Ｃ３　　平滑用キャパシター
　Ｄ１、Ｄ２　　寄生ダイオード
　Ｅｂ＋　　プラス側端子
　Ｅｂ−　　マイナス側端子
　Ｇ２、Ｇ３，Ｇ８、Ｇ９、Ｇ１１　　ノアゲート
　Ｇ１　　アンドゲート
　Ｇ４、Ｇ５、Ｇ６、Ｇ１０　　ナンドゲート
　Ｇ７　　オアゲート
　ＰＤＳＷ１〜４　　パワーダウンスイッチ
　Ｑ１〜Ｑ１５　　ＭＯＳトランジスター
　ＱＣ、ＱＤ　　パワーＭＯＳトランジスター
　ＣＰＵ，ＶＤＤ、ＶＣ、ＣＰＤ、ＶＳＳ、ＤＯ、ＯＶ、ＶＭ　　端子